(57)【特許請求の範囲】
【請求項１】
１または複数の二次電池と、
上記二次電池に対する異常が検出された際に、上記二次電池の充放電電流を遮断するヒューズと、
上記二次電池に対する異常を検出し、検出結果に応じて上記ヒューズを溶断させる溶断処理を行う制御部と
を有し、
上記制御部は、
上記異常を検出した際に、上記溶断処理を開始し、上記溶断処理を開始してから所定期間、上記ヒューズの後段の電位である第１の電位および上記二次電池の電位である第２の電位を測定することにより上記ヒューズの溶断状態を判断し、
上記所定期間経過後、上記測定の結果、上記第１の電位および上記第２の電位が等しい場合に、上記溶断処理によって上記ヒューズが溶断されていないと判断し、上記溶断処理を停止する電池パック。
【請求項２】
外部の電子機器と通信を行う通信端子をさらに有し、
上記制御部は、
上記所定時間経過後、上記ヒューズが溶断されなかった場合に、上記通信端子を介して上記ヒューズが溶断されなかったことを示す情報を上記外部の電子機器に対して送信する請求項１に記載の電池パック。
【請求項３】
上記ヒューズの溶断状態を表示する表示部をさらに有し、
上記制御部は、
上記ヒューズが溶断された場合に、該ヒューズが溶断されたことを示す表示を表示させ、上記所定時間経過後、上記ヒューズが溶断されなかった場合に、該ヒューズが溶断されなかったことを示す表示を表示させるように上記表示部を制御する請求項１に記載の電池パック。
【請求項４】
上記表示部は、発光素子からなり、
上記発光素子を点灯させることで上記溶断されたことを示す表示を行い、上記発光素子を点滅させることで上記溶断されなかったこと示す表示を行う請求項３に記載の電池パック。
【請求項５】
上記二次電池に対する異常を検出し、検出結果に応じて、１または複数の二次電池に対する充放電電流を遮断するヒューズを溶断させる溶断処理を行い、
上記異常を検出した際に、上記溶断処理を開始し、上記溶断処理を開始してから所定期間、上記ヒューズの後段の電位である第１の電位および上記二次電池の電位である第２の電位を測定することにより上記ヒューズの溶断状態を判断し、
上記所定期間経過後、上記測定の結果、上記第１の電位および上記第２の電位が等しい場合に、上記溶断処理によって上記ヒューズが溶断されていないと判断し、上記溶断処理を停止する電池パックの制御方法。
【発明の詳細な説明】
【技術分野】
【０００１】
この発明は、異常を検出する電池パックおよびその制御方法に関する。
【背景技術】
【０００２】
近年、ノート型ＰＣ（Personal Computer）や携帯電話、ＰＤＡ(Personal Digital Assistants)等の携帯型電子機器が普及し、その電源として高電圧、高エネルギー密度、軽量といった利点を有するリチウムイオン二次電池が広く使用されている。
【０００３】
二次電池の電池パックには、通常、二次電池が過充電や過電流となった場合の保護素子として、ケミカルヒューズと呼ばれるヒューズが実装されている。ケミカルヒューズは、ヒューズおよびヒータ抵抗で構成されており、ヒータ抵抗に電流が流れることによって発生する熱により、ヒューズを溶断するものである。
【０００４】
このような電池パックは、過充電や過電流などの異常な状態となった場合に、ケミカルヒューズのヒータ抵抗に電流を流すことによってヒューズを溶断し、二次電池に対する充放電を停止するようにされている。
【０００５】
ここで、従来の電池パック１００の一例の構成について、図４を参照して説明する。電池パック１００は、正極端子１１１および負極端子１１２がそれぞれ外部の電子機器や充電器の正極端子および負極端子に接続され、充放電が行われる。二次電池１０２は、例えば、リチウムイオン電池の二次電池であり、１または複数の電池セル１１５，１１５，・・・が直列および／または並列に接続されたものである。
【０００６】
ＡＦＥ（Analog Front End）１０３は、二次電池２の各電池セル１１５の電圧や、電流検出抵抗１０７を使用して電流の大きさおよび向きを測定し、ＭＰＵ（Micro Processing Unit）１０４に測定値を供給する。また、ＡＦＥ１０３は、後述するＭＰＵ１０４からの命令に基づきスイッチ回路１０５に対して制御信号を送ることにより、過充電、過放電を防止する。
【０００７】
スイッチ回路１０５は、充電制御ＦＥＴ（Field Effect Transistor）１１６ａおよび放電制御ＦＥＴ１１７ａとから構成されている。電池電圧が過充電検出電圧となったときは、充電制御ＦＥＴ１１６ａをＯＦＦとし、充電電流が流れないように制御される。なお、充電制御ＦＥＴ１１６ａのＯＦＦ後は、寄生ダイオード１１６ｂを介することによって放電のみが可能となる。
【０００８】
また、電池電圧が過放電検出電圧となったときは、放電制御ＦＥＴ１１７ａをＯＦＦとし、放電電流が流れないように制御される。なお、放電制御ＦＥＴ１１７ａのＯＦＦ後は、寄生ダイオード１１７ｂを介することによって充電のみが可能となる。
【０００９】
ケミカルヒューズ１０６は、ヒューズ１１８およびヒータ抵抗１１９で構成され、二次電池１０２に対して直列的に接続されて設けられている。例えば、二次電池１０２に対する過電流が検出された場合には、ヒューズ１１８に対して過電流が直接流れ、ヒューズ１１８が発熱することにより溶断する。
【００１０】
また、例えば、二次電池１０２に対する過充電が検出された場合には、後述するＭＰＵ１０４の制御に基づきＦＥＴ１０８がＯＮ状態となり、二次電池１０２からヒューズ１１８およびヒータ抵抗１１９を介してＦＥＴ１０８に電流が流れる経路が形成される。このとき、ヒータ抵抗１１９に電流が流れることによってヒータ抵抗１１９が発熱し、このヒータ抵抗１１９からの熱によりヒューズ１１８が溶断する。
【００１１】
ＭＰＵ１０４は、ＡＦＥ１０３から供給された二次電池１０２の電圧値および電流値に基づき、二次電池１０２のいずれかの電池セル１１５の電圧が過充電検出電圧になった場合や、電池セル１１５の電圧が過放電検出電圧以下になった場合に、ＡＦＥ１０３に対してスイッチ回路１０５を制御するための命令を供給する。また、ＭＰＵ１０４は、異常を検出した場合に、ＦＥＴ１０８のゲート信号を制御してＦＥＴ１０８をＯＮ状態とし、ケミカルヒューズ１０６に対する溶断処理を行う。
【００１２】
また、ＭＰＵ４は、カウンタ１１０を内蔵し、ＦＥＴ１０８をＯＮ状態とすることによる溶断処理の開始からの時間をカウントする。カウンタ１１０には、カウントの終了時間であるタイムアウト時間が予め設定され、設定されたタイムアウト時間に達した時点でカウントを終了する。
【００１３】
ＭＰＵ１０４は、ヒューズ１１８が溶断した場合に、ヒューズ１１８を溶断したことを示す溶断アラームを、通信端子１１３および１１４を介して電池パック１００に接続された電子機器に対して送信する。
【００１４】
次に、従来の電池パック１００において、二次電池１０２の異常を検出した際の処理の流れについて、図５に示すフローチャートを参照して説明する。以下の処理は、ＭＰＵ１０４の制御の下で行われるものとする。また、以下の処理は、所定時間毎、例えば１秒毎に巡回的に行われるものとする。
【００１５】
ステップＳ１０１において、二次電池１０２が過充電や過電流などのヒューズ１１８を溶断させる必要があるような異常を検出した場合など、ヒューズ１１８の溶断条件が成立したか、または、溶断アラームがセットされているか否かが判断される。なお、最初の段階においては、溶断アラームはリセットされている。溶断条件が成立した、または、溶断アラームがセットされている場合には、二次電池１０２の異常が検出されたと判断し、処理がステップＳ１０２に移行する。ステップＳ１０２では、ＭＰＵ１０４の命令に基づくＡＦＥ１０３からの制御信号により、充電制御ＦＥＴ１１６ａおよび放電制御ＦＥＴ１１７ａがＯＦＦ状態とされる。
【００１６】
ステップＳ１０３において、溶断アラームがセットされているか否かが判断される。溶断アラームがセットされていると判断された場合には、処理がステップＳ１０４に移行し、カウンタ１１０のカウントアップを行う。
【００１７】
また、ステップＳ１０３において、溶断アラームがセットされていないと判断された場合には、処理がステップＳ１０５に移行する。ステップＳ１０５では、ヒューズ溶断処理が開始され、ＦＥＴ１０８をＯＮ状態としてケミカルヒューズ１０６のヒータ抵抗１１９に対して電流を流すとともに、カウンタ１１０のカウント値が初期化され、カウントが開始される。また、溶断アラームがセットされ、電池パック１００が接続された電子機器に対して、溶断アラームが通信端子１１３および１１４を介して送信される。
【００１８】
ステップＳ１０６において、カウンタ１１０のカウント値が予め設定されたタイムアウト時間に達したか否かが判断される。カウント値がタイムアウト時間に達した場合には、処理がステップＳ１０７に移行し、ヒューズ溶断処理が終了されるとともに、カウンタ１１０によるカウントが終了される。ステップＳ１０６において、カウント値がタイムアウト時間に達していない場合には、処理がステップＳ１０１に戻る。
【００１９】
一方、ステップＳ１において、溶断条件が成立せず、且つ、溶断アラームがセットされていない場合には、二次電池２の状態が正常であると判断し、処理がステップＳ１０１に戻る。
【００２０】
このように、従来の電池パックでは、異常を検出した場合に、ヒューズを溶断させることにより二次電池に対する充放電電流を遮断することができ、危険な状態を防止することができるようにされている。
【００２１】
しかしながら、このような電池パックにおいて、二次電池の電池電圧が低い場合や、容量が小さい場合には、ヒータ抵抗に対して十分な電流を流すことができない。その結果、ヒータ抵抗の発熱による温度がヒューズの溶断温度まで到達せず、ヒューズを溶断することができない場合が発生する。
【００２２】
一方、このような場合において、ヒューズと電池パックのケースとの空間距離が小さい場合には、電池パックのケースを溶解させてしまうという危険性がある。一般に、電池パックのケースの材料として用いられる樹脂などの耐熱温度は、８０℃程度であり、ヒューズの溶断温度である１３０℃程度よりも低い。そのため、ヒューズの温度が電池パックのケースの耐熱温度よりも高く、ヒューズの溶断温度よりも低い状態が継続されることにより、このような危険な状態が生じてしまうという問題点があった。
【００２３】
そこで、このような問題を解決するため、例えば下記の特許文献１には、二次電池の電池電圧が低い場合や、電池容量が小さい場合に充電を行い、ヒータ抵抗に対して十分な電流を流すことができるようにする電池パックの制御方法が記載されている。
【００２４】
【特許文献１】特開２００７−２１５３１０号公報
【発明の開示】
【発明が解決しようとする課題】
【００２５】
しかしながら、上述の特許文献１に記載の制御方法では、二次電池が異常な状態であるにもかかわらず充電を行うことになるため、二次電池に対して負担がかかり、非常に危険であるという問題点があった。
【００２６】
したがって、この発明の目的は、ヒューズの溶断状態を検出し、危険な状態を未然に防止する電池パックおよびその制御方法を提供することにある。
【課題を解決するための手段】
【００２７】
上述した課題を解決するために、第１の発明は、１または複数の二次電池と、
二次電池に対する異常が検出された際に、二次電池の充放電電流を遮断するヒューズと、
二次電池に対する異常を検出し、検出結果に応じてヒューズを溶断させる溶断処理を行う制御部と
を有し、
制御部は、
異常を検出した際に、溶断処理を開始し、溶断処理を開始してから所定期間、上記ヒューズの後段の電位である第１の電位および上記二次電池の電位である第２の電位を測定することによりヒューズの溶断状態を判断し、
所定期間経過後、上記測定の結果、上記第１の電位および上記第２の電位が等しい場合に、上記溶断処理によって上記ヒューズが溶断されていないと判断し、上記溶断処理を停止する電池パックである。
【００２８】
また、第２の発明は、二次電池に対する異常を検出し、検出結果に応じて、１または複数の二次電池に対する充放電電流を遮断するヒューズを溶断させる溶断処理を行い、
異常を検出した際に、溶断処理を開始し、溶断処理を開始してから所定期間、ヒューズの後段の電位である第１の電位および二次電池の電位である第２の電位を測定することによりヒューズの溶断状態を判断し、
所定期間経過後、測定の結果、第１の電位および上記第２の電位が等しい場合に、溶断処理によってヒューズが溶断されていないと判断し、溶断処理を停止する電池パックの制御方法である。
【００２９】
上述したように、第１および第２の発明では、二次電池に対する異常を検出し、検出結果に応じて、１または複数の二次電池に対する充放電電流を遮断するヒューズを溶断させる溶断処理を行い、異常を検出した際に、ヒューズの後段の電位である第１の電位および二次電池の電位である第２の電位を測定し、測定の結果、第１の電位および第２の電位が等しい場合に、溶断処理によってヒューズが溶断されていないと判断するようにしているため、ヒューズの溶断状態を確実に検出することができる。
【発明の効果】
【００３０】
この発明は、二次電池に対する異常を検出し、充放電電流を遮断するヒューズを溶断させる溶断処理を行うとともに、ヒューズの後段の電位である第１の電位および二次電池の電位である第２の電位を測定する。そして、測定の結果、第１の電位および第２の電位が等しい場合に、溶断処理によってヒューズが溶断されていないと判断し、溶断処理を停止するようにしている。そのため、ヒューズの溶断状態を確実に検出し、電池パックのケースを溶解させてしまうような危険な状態を防止することができるという効果がある。
【発明を実施するための最良の形態】
【００３１】
以下に、この発明の実施の一形態について、図面を参照しながら説明する。この発明の実施の一形態では、二次電池が異常である場合に、電池パックに設けられた保護素子であるヒューズの溶断処理を行う。そして、ヒューズが確実に溶断されたか否かを検出し、ヒューズが溶断されていない場合には、溶断されていないことを示す情報を、この電池パックが接続された外部の電子機器側に送信し、電池パックの使用を不可とするようにしている。
【００３２】
図１は、この発明の実施の一形態に適用可能な電池パック１の一例の構成を示す。電池パック１は、電子機器使用時には正極端子１１および負極端子１２がそれぞれ外部の電子機器の正極端子および負極端子に接続され、放電が行われる。また、充電時には充電器に装着され、電気機器使用時と同様に、正極端子１１および負極端子１２がそれぞれ充電器の正極端子および負極端子に接続され、充電が行われる。
【００３３】
電池パック１は主に、二次電池２、ＡＦＥ（Analog Front End）３、制御部としてのＭＰＵ（Micro Processing Unit）４、スイッチ回路５、ケミカルヒューズ６、電流検出抵抗７、ＦＥＴ（Field Effect Transistor）８、通信端子１３および１４で構成されている。二次電池２は、例えば、リチウムイオン電池の二次電池であり、１または複数の電池セル１５，１５，・・・が直列および／または並列に接続されたものである。この例では、３個の電池セル１５が直列に接続されている場合を示す。
【００３４】
ＡＦＥ３は、二次電池２の各電池セル１５の電圧を測定し、後述するＭＰＵ４に測定値を供給する。また、ＡＦＥ３は、電流検出抵抗７を使用して電流の大きさおよび向きを測定し、ＭＰＵ４に測定値を供給する。これら各種の測定は、所定時間毎に定期的に行われる。
【００３５】
ＡＦＥ３は、後述するＭＰＵ４からの命令に基づきスイッチ回路５に対して制御信号を送ることにより、過充電、過放電を防止する。ここで、二次電池２がリチウムイオン電池の場合、過充電検出電圧が例えば４．２５Ｖ±０．０５Ｖと定められ、過放電検出電圧が２．５Ｖ±０．１Ｖと定められる。
【００３６】
また、ＡＦＥ３は、レギュレータを備え、二次電池２から供給された電力を、ＭＰＵ４を動作させるのに適した電力に変換し、ＭＰＵ４に供給する。
【００３７】
スイッチ回路５は、充電制御ＦＥＴ１６ａおよび放電制御ＦＥＴ１７ａとから構成されている。電池電圧が過充電検出電圧となったときは、ＡＦＥ３からの制御信号に基づき充電制御ＦＥＴ１６ａをＯＦＦとし、充電電流が流れないように制御される。なお、充電制御ＦＥＴ１６ａのＯＦＦ後は、寄生ダイオード１６ｂを介することによって放電のみが可能となる。
【００３８】
また、電池電圧が過放電検出電圧となったときは、ＡＦＥ３からの制御信号に基づき放電制御ＦＥＴ１７ａをＯＦＦとし、放電電流が流れないように制御される。なお、放電制御ＦＥＴ１７ａのＯＦＦ後は、寄生ダイオード１７ｂを介することによって充電のみが可能となる。
【００３９】
ケミカルヒューズ６は、ヒューズ１８およびヒータ抵抗１９で構成され、二次電池２に対して直列的に接続されて設けられている。例えば、二次電池２に対する過電流が検出された場合には、ヒューズ１８に対して過電流が直接流れる。この電流によってヒューズ１８が発熱することにより、ヒューズ１８が溶断し、二次電池２に対する充放電経路を遮断する。
【００４０】
また、例えば、二次電池２に対する過充電が検出された場合には、後述するＭＰＵ４の制御に基づきＦＥＴ８がＯＮ状態となり、二次電池２からヒューズ１８およびヒータ抵抗１９を介してＦＥＴ８に電流が流れる経路が形成される。このとき、ヒータ抵抗１９に電流が流れることによってヒータ抵抗１９が発熱する。そして、このヒータ抵抗１９からの熱によりヒューズ１８の温度が上昇し、溶断温度に到達するとヒューズ１８が溶断し、二次電池２に対する充放電経路を遮断する。
【００４１】
ＭＰＵ４は、ＡＦＥ３から供給された二次電池２の電圧値および電流値に基づき二次電池２の異常検出を行う。ＭＰＵ４は、ＡＦＥ３から供給される電圧値および電流値に基づき、二次電池２のいずれかの電池セル１５の電圧が過充電検出電圧になった場合や、電池セル１５の電圧が過放電検出電圧以下になった場合に、ＡＦＥ３に対してスイッチ回路５を制御するための命令を供給する。
【００４２】
また、ＭＰＵ４は、異常を検出した場合に、ＦＥＴ８のゲート信号を制御してＦＥＴ８をＯＮ状態とし、ケミカルヒューズ６に対する溶断処理を行う。ＭＰＵ４は、ケミカルヒューズ６に対する溶断処理中に、スイッチ回路５およびケミカルヒューズ６の間の電位（図１に示すＡ点の電位）を測定する。そして、測定されたこのＡ点の電位と、ＡＦＥ３によって測定された二次電池２の電位（図１に示すＢ点の電位）とに基づき、ヒューズ１８の溶断状態を判断する。
【００４３】
なお、Ａ点における電圧が直接ＭＰＵ４に供給されると、ＭＰＵ４が故障するおそれがある。そのため、Ａ点の電圧が抵抗２０ａおよび２０ｂによって分圧されるとともに、抵抗２１によって電流が制限された状態でＭＰＵ４に供給される。
【００４４】
ＭＰＵ４は、カウンタ１０を内蔵し、ＦＥＴ８をＯＮ状態とすることによる溶断処理の開始からの時間をカウントする。カウンタ１０には、カウントの終了時間であるタイムアウト時間が予め設定され、設定されたタイムアウト時間に達した時点でカウントを終了する。このタイムアウト時間としては、例えば、ヒューズ１８を溶断するのに必要な時間が設定される。
【００４５】
ＭＰＵ４は、ヒューズ１８が溶断した場合に、ヒューズ１８を溶断したことを示す溶断アラームを、通信端子１３および１４を介して電池パック１に接続された電子機器に対して送信する。また、ヒューズ１８が溶断できなかったと場合に、ヒューズ１８を溶断できなかったことを示す溶断不能アラームを電子機器に対して送信する。
【００４６】
通信端子１３および１４は、ＰＣ等の電子機器に装着された際に、所定の通信規格に基づき電池パック１の異常を示す情報等の各種情報を電子機器に送信する。通信規格としては、例えば、主に電源管理用に用いられるＳＭＢｕｓ（System Management Bus）の規格を用いることができる。
【００４７】
なお、上述した構成では、ＡＦＥ３およびＭＰＵ４は、それぞれ独立したように説明したが、これはこの例に限られない。例えば、ＡＦＥ３およびＭＰＵ４が一体化とされた構成としてもよい。
【００４８】
次に、二次電池２の異常を検出した際の処理の流れについて、図２に示すフローチャートを参照して説明する。なお、特別な記載がない限り、以下の処理は、ＭＰＵ４の制御の下で行われるものとする。また、以下の処理は、所定時間毎、例えば１秒毎に巡回的に行われるものとする。
【００４９】
ステップＳ１において、二次電池２に対する過充電や過電流などのヒューズ１８を溶断させる必要があるような異常を検出した場合など、ヒューズ１８の溶断条件が成立したか、または、溶断アラームがセットされているか否かが判断される。なお、最初の段階においては、溶断アラームはリセットされている。溶断条件が成立した、または、溶断アラームがセットされている場合には、二次電池２の異常が検出されたと判断し、処理がステップＳ２に移行する。ステップＳ２では、ＭＰＵ４の命令に基づくＡＦＥ３からの制御信号により、充電制御ＦＥＴ１６ａおよび放電制御ＦＥＴ１７ａがＯＦＦ状態とされる。
【００５０】
ステップＳ３において、溶断不能アラームがセットされているか否かが判断される。なお、最初の段階においては、溶断不能アラームはリセットされている。溶断不能アラームがセットされていないと判断された場合には、処理がステップＳ４に移行する。溶断不能アラームがセットされている場合は、処理がステップＳ１に戻る。
【００５１】
ステップＳ４において、溶断アラームがセットされているか否かが判断される。溶断アラームがセットされていると判断された場合には、処理がステップＳ５に移行し、カウンタ１０のカウントアップを行う。
【００５２】
また、ステップＳ４において、溶断アラームがセットされていないと判断された場合には、処理がステップＳ６に移行する。ステップＳ６では、ヒューズ溶断処理が開始され、ＦＥＴ８をＯＮ状態としてケミカルヒューズ６のヒータ抵抗１９に対して電流を流すとともに、カウンタ１０のカウント値が初期化され、カウントが開始される。また、溶断アラームがセットされ、電池パック１が接続された電子機器に対して、溶断アラームが通信端子１３および１４を介して送信される。
【００５３】
ステップＳ７では、スイッチ回路５およびケミカルヒューズ６の間の電位（図１に示すＡ点の電位）が測定される。そして、測定されたＡ点の電位および二次電池２の電位（図１に示すＢ点の電位）に基づき、ヒューズ１８が溶断できたか否かが判断される。Ａ点の電位およびＢ点の電位が等しい場合には、ヒューズ１８が溶断されていないと判断し、処理がステップＳ８に移行する。一方、Ａ点の電位がＢ点の電位と異なる場合には、ヒューズ１８が溶断されたと判断し、処理がステップＳ１０に移行する。
【００５４】
ステップＳ８において、カウンタ１０のカウント値が予め設定されたタイムアウト時間に達したか否かが判断される。カウント値がタイムアウト時間に達した場合には、処理がステップＳ９に移行し、溶断不能アラームがセットされ、電池パック１が接続された電子機器に対して、溶断不能アラームが通信端子１３および１４を介して送信される。また、カウント値がタイムアウト時間に達していない場合には、処理がステップＳ１に戻る。
【００５５】
ステップＳ１０では、ヒューズ溶断処理が終了される。また、カウンタ１０によるカウントが終了される。
【００５６】
一方、ステップＳ１において、溶断条件が成立せず、且つ、溶断アラームがセットされていない場合には、二次電池２の状態が正常であると判断し、処理がステップＳ１に戻る。
【００５７】
このように、この発明の実施の一形態では、二次電池の異常を検出し、ヒューズを溶断させる際に、二次電池の電位とヒューズの後段の電位とを比較することによってヒューズが溶断されたか否かを判断するようにしている。そして、ヒューズが溶断されなかった場合には、この電池パックを使用する電子機器に対してヒューズが溶断できなかったことを示す溶断不能アラームを送信し、電池パックが危険な状態であることを通知するようにしている。そのため、電池パックに対する危険な状態を未然に防止することができる。
【００５８】
なお、この例では、外部に対してヒューズ１８の溶断状態を通知する方法として、電池パックを使用する電子機器に対してアラームを送信するようにしたが、これに限られず、別の方法を用いてヒューズ１８の溶断状態を通知するようにしてもよい。例えば、電池パック１に対してＬＥＤなどを設け、ヒューズ１８の溶断状態に応じてＬＥＤを自動的に点灯または点滅させるような表示を行うようにしてもよい。
【００５９】
具体的には、例えば、図３に示すように、電池パック１に対してＬＥＤ（Light Emitting Diode）などの発光素子で構成される表示部３０およびスイッチ３１を設ける。表示部３０は、ＡＦＥ３からＭＰＵ４に対する電源ラインと接続されるとともに、スイッチ３１を介して二次電池２の負極側のラインに接続されている。表示部３０は、スイッチ３１がＯＮ状態となった場合に、ＬＥＤが点灯または点滅する。
【００６０】
ＭＰＵ４は、スイッチ３１を制御し、ヒューズ１８が溶断されたと判断した場合には、スイッチ３１をＯＮ状態とするように制御する。スイッチ３１がＯＮ状態となることにより、表示部３０と二次電池２の負極側のラインとが導通し、ＬＥＤが点灯する。また、ヒューズ１８が溶断されなかったと判断した場合には、スイッチ３１のＯＮ／ＯＦＦ状態が所定時間毎に繰り返されるように、スイッチ３１を制御する。スイッチ３１のＯＮ／ＯＦＦ状態が繰り返されることにより、ＬＥＤが点滅する。
【００６１】
このように、表示部３０を自動的に点灯または点滅させることにより、電池パック１を使用するユーザに対して、電池パック１に対する異常を容易に通知することができる。
【００６２】
以上、この発明の実施の一形態について説明したが、この発明は、上述したこの発明の実施の一形態に限定されるものではなく、この発明の要旨を逸脱しない範囲内で様々な変形や応用が可能である。例えば、リチウムイオン二次電池に限られず、ニッケル水素二次電池やニッケルカドミウム二次電池等にも適用可能である。ただし、異常状態となった場合の危険の度合いを考慮すると、リチウムイオン二次電池に対して適用するのが最も好適である。
【図面の簡単な説明】
【００６３】
【図１】この発明の実施の一形態に適用可能な電池パックの一例の構成を示すブロック図である。
【図２】二次電池の異常を検出した際の処理の流れについて説明するためのフローチャートである。
【図３】二次電池の異常を検出した際の表示について説明するためのブロック図である。
【図４】従来の電池パックの一例の構成を示すブロック図である。
【図５】従来の電池パックにおいて、異常を検出した際の処理の流れについて説明するためのフローチャートである。
【符号の説明】
【００６４】
１  電池パック
２  二次電池
３  ＡＦＥ
４  ＭＰＵ
５  スイッチ回路
６  ケミカルヒューズ
７  電流検出抵抗
８  ＦＥＴ
１０  カウンタ
１１  正極端子
１２  負極端子
１３、１４  通信端子
１５  電池セル
１８  ヒューズ
１９  ヒータ抵抗
３０  表示部
【図１】
0004687743.tif 000002
【図２】
0004687743.tif 000003
【図３】
0004687743.tif 000004
【図４】
0004687743.tif 000005
【図５】
0004687743.tif 000006